(57)【特許請求の範囲】
【請求項１】
ユーザ装置に適用する可能性のある送信ダイバーシチの候補を選択する手段と、
前記送信ダイバーシチの候補を選択する手段において選択された送信ダイバーシチの候補に基づいて、各送信ダイバーシチの候補に対応する受信品質を求める手段と、
前記受信品質を求める手段において求められた各送信ダイバーシチの候補に対応する受信品質に基づいて、リソースブロックに割り当てるユーザ装置を決定する手段と、
前記ユーザ装置により送信されたサウンディングリファレンスシグナルに基づくアンテナ相関に基づいて、前記ユーザ装置が上りリンクの信号を送信するアンテナを選択する手段と、
前記決定する手段において決定されたリソースブロックに割り当てるユーザ装置に対して、適用する送信ダイバーシチを通知する手段と
を有し、
前記受信品質を求める手段は、前記ユーザ装置からのサウンディングリファレンスシグナルに基づいて、チャネル推定値を求め、該チャネル推定値から、リソースブロック毎に、受信品質を求め、
前記通知する手段は、前記アンテナを選択する手段により選択されたアンテナを示す情報を通知することを特徴とする基地局装置。
【請求項２】
請求項１に記載の基地局装置において、
前記アンテナを選択する手段は、前記サウンディングリファレンスシグナルの受信品質に基づいて、前記上りリンクの信号を送信するアンテナを選択することを特徴とする基地局装置。
【請求項３】
請求項１又は２に記載の基地局装置において、
前記送信ダイバーシチには、開ループ送信ダイバーシチ及び／又は閉ループ送信ダイバーシチが含まれることを特徴とする基地局装置。
【請求項４】
請求項３に記載の基地局装置において、
前記開ループ送信ダイバーシチには、時空間ブロック符号を用いた送信ダイバーシチ、空間周波数符号を用いた送信ダイバーシチ、循環遅延ダイバーシチ、周波数切換送信ダイバーシチ、時間切換送信ダイバーシチ、プリコーディング ベクトル 切替を適用した送信ダイバーシチのうち少なくとも１つが含まれることを特徴とする基地局装置。
【請求項５】
請求項３に記載の基地局装置において、
前記閉ループ送信ダイバーシチには、位相ダイバーシチが含まれことを特徴とする基地局装置。
【請求項６】
請求項１ないし５のいずれか１項に記載の基地局装置において、
前記受信品質を求める手段は、最大比合成及び／又は同相加算に基づいて、受信品質を求めることを特徴とする基地局装置。
【請求項７】
請求項１ないし６のいずれか１項に記載の基地局装置において、
前記通知する手段は、下りリンクの制御情報として通知することを特徴とする基地局装置。
【請求項８】
請求項１ないし６のいずれか１項に記載の基地局装置において、
前記通知する手段は、上位レイヤのシグナリングで通知することを特徴とする基地局装置。
【請求項９】
請求項１ないし８のいずれか１項に記載の基地局装置において、
前記送信ダイバーシチの候補を選択する手段は、前記ユーザ装置の移動速度に基づいて、該ユーザ装置に適用する送信ダイバーシチを決定することを特徴とする基地局装置。
【請求項１０】
複数のアンテナ及びRF回路を有するユーザ装置であって、
複数種類の送信ダイバーシチが適用され、
前記複数種類の送信ダイバーシチのうち、基地局装置により通知された送信ダイバーシチに従って、送信制御を行う手段と、
基地局装置により通知されたアンテナを示す情報に従って、送信アンテナを切り替える手段と、
前記送信制御を行う手段による制御に従って、前記複数のRF回路を用いて、上りリンクの信号を送信する手段と
を有し、
前記基地局装置により選択された送信ダイバーシチの候補に基づいて、各送信ダイバーシチの候補に対応する受信品質が求められ、各送信ダイバーシチの候補に対応する受信品質に基づいて、リソースブロックに割り当てるユーザ装置が決定され、ユーザ装置により送信されたサウンディングリファレンスシグナルに基づくアンテナ相関に基づいて、該ユーザ装置が上りリンクの信号を送信するアンテナが選択され、該決定されたリソースブロックに割り当てるユーザ装置に対して、適用する送信ダイバーシチが通知される、ことを特徴とするユーザ装置。
【請求項１１】
請求項１０に記載のユーザ装置において、
前記送信する手段は、前記複数のアンテナからサウンディングリファレンス シグナルを送信することを特徴とするユーザ装置。
【請求項１２】
請求項１１に記載のユーザ装置において、
前記送信する手段は、前記サウンディングリファレンスシグナルを、同一ユーザ装置の各送信アンテナ間で、符号分割多重、時分割多重及び周波数分割多重のいずれか１つにより送信することを特徴とするユーザ装置。
【請求項１３】
請求項１１又は１２に記載のユーザ装置において、
前記送信する手段は、前記サウンディングリファレンスシグナルを、ユーザ装置間で，符号分割多重、時分割多重及び周波数分割多重のいずれか１つにより送信することを特徴とするユーザ装置。
【請求項１４】
基地局装置が、ユーザ装置に適用する可能性のある送信ダイバーシチの候補を選択するステップと、
前記基地局装置が、前記送信ダイバーシチの候補を選択するステップにおいて選択した送信ダイバーシチの候補に基づいて、各送信ダイバーシチの候補に対応する受信品質を求めるステップと、
前記基地局装置が、前記受信品質を求めるステップにおいて求めた各送信ダイバーシチの候補に対応する受信品質に基づいて、リソースブロックに割り当てるユーザ装置を決定するステップと、
前記ユーザ装置により送信されたサウンディングリファレンスシグナルに基づくアンテナ相関に基づいて、前記ユーザ装置が上りリンクの信号を送信するアンテナを選択するステップと、
前記基地局装置が、前記決定するステップにおいて決定したリソースブロックに割り当てるユーザ装置に対して、適用する送信ダイバーシチを通知するステップと
を有し、
前記受信品質を求めるステップは、前記ユーザ装置からのサウンディングリファレンスシグナルに基づいて、チャネル推定値を求め、該チャネル推定値から、リソースブロック毎に、受信品質を求め、
前記通知するステップは、前記アンテナを選択する手段により選択したアンテナを示す情報を通知することを特徴とする通信制御方法。
【発明の詳細な説明】
【技術分野】
【０００１】
本発明は、無線通信システムに関し、特に基地局装置及びユーザ装置並びに通信制御方法に関する。
【背景技術】
【０００２】
W-CDMA（Wideband  Code  Division  Multiple  Access）やHSPA(High  Speed  Packet  Access)の後継となる通信方式、すなわちEvolved  UTRA  and  UTRAN（別名:  LTE(Long  Term  Evolution)，或いは，Super  3G）が、W-CDMAの標準化団体3GPP(3rd  Generation  Partnership  Project)により議論されている。例えば、E-UTRAでは、下りリンクについてはOFDMA(Orthogonal  Frequency  Division  Multiple Access)、上りリンクについてはSC-FDMA(Single-Carrier  Frequency  Division  Multiple  Access)が採用されている。
【０００３】
OFDMAは、周波数帯域を複数の狭い周波数帯域（サブキャリア）に分割し、各周波数帯上にデータを載せて伝送を行う方式である。OFDMAは、サブキャリアを周波数上に、一部重なりあいながらも互いに干渉することなく密に並べることで、高速伝送を実現し、周波数の利用効率を上げることができる。
【０００４】
SC-FDMAは、周波数帯域を分割し、複数の端末間で異なる周波数帯域を用いて伝送することで、端末間の干渉を低減することができる伝送方式である。SC-FDMAでは、送信電力の変動が小さくなる特徴を持つことから、端末の低消費電力化及び広いカバレッジを実現できる。
【０００５】
E-UTRAにおける上りリンクの無線アクセスに使用されるSC-FDMAについて説明する。システムで使用可能な周波数帯域は、複数のリソースブロックに分割され、リソースブロックの各々は１以上のサブキャリアを含む。ユーザ装置(UE:  User  Equipment)には１以上のリソースブロックが割り当てられる。周波数スケジューリングでは、基地局装置で測定した各ユーザ装置の上りリンクのリソースブロック毎の受信信号品質又はチャネル状態情報(CQI:  Channel  Quality  Indicator）に応じて、チャネル状態の良好なユーザ装置に優先的にリソースブロックを割り当てることにより、システム全体の伝送効率又はスループットを向上させる。また、使用可能な周波数ブロックを所定の周波数ホッピングパターンに従って変更する周波数ホッピングも適用されるようにしてもよい。
【０００６】
SC-FDMAでは、セル内の各ユーザ装置は、異なる時間・周波数リソースを用いて送信する。このようにして、セル内のユーザ装置間の直交が実現される。SC-FDMAでは、連続する周波数を割り当てることにより、低ピーク電力対平均電力比(PAPR:  Peak-to-Average  Power  ratio)のシングルキャリア伝送が実現される。このため、送信電力に対する制限が厳しい上りリンクにおいて、カバレッジエリアを増大できる。SC-FDMAでは、割り当てる時間・周波数リソースは、基地局装置のスケジューラが、各ユーザの伝搬状況、送るべきデータのQoS(Quality  of  Service)に基づいて決定する。ここで、QoSにはデータレート、所要の誤り率、遅延が含まれる。このように、伝搬状況のよい時間・周波数リソースを各ユーザに割り当てることによりスループットを増大できる。
【非特許文献１】3GPP  TS  36.212:  "Evolved  Universal  Terrestrial  Radio  Access(E-UTRA);  Physical  Channels  and  Modulation".
【発明の開示】
【発明が解決しようとする課題】
【０００７】
Evolved  UTRA  and  UTRANの次世代の無線通信システムにおける通信方式の検討が開始されている。この次世代の通信方式は、IMT-Advanced(International  Mobile  Telecommunication- Advanced)、あるいは4G(4th  generation)と呼ばれてもよい。
【０００８】
次世代の無線通信システムには、様々な環境下における通信がサポートされるべきである。例えば、様々な環境のうち、主要な展開環境には、マイクロセル、屋内セル、ホットスポットセルが含まれる。
【０００９】
また、次世代の無線通信システムには、様々な環境及び要求されるQoS等に応じて、サービスを提供することが要求される。ここで、サービスには、データレートの高速化、QoS要求条件により要求される様々なトラヒックへの対応等が含まれる。また、カバレッジエリアを増大させることが要求される。例えば、様々な環境には、マクロセル、マイクロセル、屋内セル、ホットスポットセルが含まれる。次世代の無線通信システムでは、これらの様々な環境下における通信がサポートされるべきである。また、QoSには、データレート、所要の誤り率、遅延等が含まれる。また、データレートは、ユーザスループットと呼ばれてもよい。
【００１０】
また、次世代の無線通信システムには、3G(3rd  Generation)システムとの互換性をもつことが望ましい。例えば、E-UTRAのフルサポート、W-CDMAやE-UTRAなどの既存の3Gシステムとのハンドオーバを実現できることが望ましい。
【００１１】
上述した要求条件のうち、E-UTRAが適用されるシステムよりも、ユーザスループットをさらに高速にする観点からは、上りリンクにおいては、E-UTRAで適用されるシングルキャリア方式よりも、マルチキャリア方式の方が好ましい。例えば、高速伝送を実現するためにシングルユーザMIMO(Multiple  Input  Multiple  Output)を適用する場合には、マルチパス干渉への耐性に優れたOFDMベースのマルチキャリア方式の方が優れるためである。一方、広いカバレッジエリアを実現する観点からは、PAPRを低減することができるシングルキャリア方式の方が好ましい。また、E-UTRAをフルサポートする要求条件を満足させる観点からは、シングルキャリア方式の方が好ましい。
【００１２】
また、次世代の無線通信システムでは、ユーザ装置は、複数のRF回路を有するようにすることも検討されている。また、ユーザ装置に対して送信ダイバーシチを適用することも検討されている。しかし、現状では、複数のRF回路を有するユーザ装置における送信ダイバーシチについては検討されていない。
【００１３】
そこで、本発明は、上述した課題に鑑み、その目的は、環境に応じて、送信ダイバーシチを適用することができる基地局装置及びユーザ装置並びに通信制御方法を提供することにある。
【課題を解決するための手段】
【００１４】
上記課題を解決するため、本基地局装置は、
ユーザ装置に適用する可能性のある送信ダイバーシチの候補を選択する手段と、
前記送信ダイバーシチの候補を選択する手段において選択された送信ダイバーシチの候補に基づいて、各送信ダイバーシチの候補に対応する受信品質を求める手段と、
前記受信品質を求める手段において求められた各送信ダイバーシチの候補に対応する受信品質に基づいて、リソースブロックに割り当てるユーザ装置を決定する手段と、
前記ユーザ装置により送信されたサウンディングリファレンスシグナルに基づくアンテナ相関に基づいて、前記ユーザ装置が上りリンクの信号を送信するアンテナを選択する手段と、
前記決定する手段において決定されたリソースブロックに割り当てるユーザ装置に対して、適用する送信ダイバーシチを通知する手段と
を有し、
前記受信品質を求める手段は、前記ユーザ装置からのサウンディングリファレンスシグナルに基づいて、チャネル推定値を求め、該チャネル推定値から、リソースブロック毎に、受信品質を求め、
前記通知する手段は、前記アンテナを選択する手段により選択されたアンテナを示す情報を通知する。
【００１５】
本ユーザ装置は、
複数のアンテナ及びRF回路を有するユーザ装置であって、
複数種類の送信ダイバーシチが適用され、
前記複数種類の送信ダイバーシチのうち、基地局装置により通知された送信ダイバーシチに従って、送信制御を行う手段と、
基地局装置により通知されたアンテナを示す情報に従って、送信アンテナを切り替える手段と、
前記送信制御を行う手段による制御に従って、前記複数のRF回路を用いて、上りリンクの信号を送信する手段と
を有し、
前記基地局装置により選択された送信ダイバーシチの候補に基づいて、各送信ダイバーシチの候補に対応する受信品質が求められ、各送信ダイバーシチの候補に対応する受信品質に基づいて、リソースブロックに割り当てるユーザ装置が決定され、ユーザ装置により送信されたサウンディングリファレンスシグナルに基づくアンテナ相関に基づいて、該ユーザ装置が上りリンクの信号を送信するアンテナが選択され、該決定されたリソースブロックに割り当てるユーザ装置に対して、適用する送信ダイバーシチが通知される。
【００１６】
本通信制御方法は、
基地局装置が、ユーザ装置に適用する可能性のある送信ダイバーシチの候補を選択するステップと、
前記基地局装置が、前記送信ダイバーシチの候補を選択するステップにおいて選択した送信ダイバーシチの候補に基づいて、各送信ダイバーシチの候補に対応する受信品質を求めるステップと、
前記基地局装置が、前記受信品質を求めるステップにおいて求めた各送信ダイバーシチの候補に対応する受信品質に基づいて、リソースブロックに割り当てるユーザ装置を決定するステップと、
前記ユーザ装置により送信されたサウンディングリファレンスシグナルに基づくアンテナ相関に基づいて、前記ユーザ装置が上りリンクの信号を送信するアンテナを選択するステップと、
前記基地局装置が、前記決定するステップにおいて決定したリソースブロックに割り当てるユーザ装置に対して、適用する送信ダイバーシチを通知するステップと
を有し、
前記受信品質を求めるステップは、前記ユーザ装置からのサウンディングリファレンスシグナルに基づいて、チャネル推定値を求め、該チャネル推定値から、リソースブロック毎に、受信品質を求め、
前記通知するステップは、前記アンテナを選択する手段により選択したアンテナを示す情報を通知する。
【発明の効果】
【００１７】
本発明の実施例によれば、環境に応じて、送信ダイバーシチを適用することができる基地局装置及びユーザ装置並びに通信制御方法を実現することができる。
【発明を実施するための最良の形態】
【００１８】
以下、本発明の実施例を、図面を参照しつつ説明する。実施例を説明するための全図において、同一機能を有するものは同一符号を用い、繰り返しの説明は省略する。
（第１の実施例）
本実施例に係るユーザ装置及び基地局装置を有する無線通信システムについて、図１を参照して説明する。
【００１９】
無線通信システム１０００は、例えばEvolved  UTRA  and  UTRAN（別名:  Long  Term  Evolution，或いは，Super  ３Gが包含されるシステムである。この無線通信システムは、IMT-Advancedと呼ばれてもよいし、4Gと呼ばれてもよい。
【００２０】
無線通信システム１０００は、基地局装置(eNB:  eNodeB)２００と、基地局装置２００と通信する複数のユーザ装置(UE:  User  Equipment)１００（１００１、１００２、１００３、・・・１００ｎ、ｎはｎ＞０の整数）とを有する。eNB及びUEは、次世代の無線通信システムの通信方式の議論に応じて異なる名称となる場合がある。その場合には、その名称で呼ばれてもよい。基地局装置２００は上位局と接続され、アクセスゲートウェイ装置３００はコアネットワーク４００と接続される。例えば、上位局には、アクセスゲートウェイ装置３００が含まれるようにしてもよい。また、上位局は、次世代の無線通信システムの通信方式の議論に応じて、適宜変更される場合がある。この場合には、その上位局と接続される。
【００２１】
各ユーザ装置１００（１００１、１００２、１００３、・・・１００ｎ）は、同一の構成、機能、状態を有するので、以下では特段の断りがない限りユーザ装置１００ｎとして説明を進める。
【００２２】
無線通信システム１０００、例えば、Evolved  UTRＡでは、下りリンクについてはOFDMA（直交周波数分割多元接続）が、上りリンクについてはSC-FDMA（シングルキャリア−周波数分割多元接続）が含まれる。上述したように、OFDMAは、周波数帯域を複数の狭い周波数帯域（サブキャリア）に分割し、各サブキャリアにデータをマッピングして通信を行うマルチキャリア伝送方式である。SC-FDMAは、周波数帯域をユーザ装置毎に分割し、複数のユーザ装置が互いに異なる周波数帯域を用いることで、ユーザ装置間の干渉を低減するシングルキャリア伝送方式である。このようにすることにより、本無線通信システムでは、E-UTRAのフルサポートを実現できる。
【００２３】
ここで、Evolved  UTRA  and  UTRANにおける通信チャネルについて説明する。これらの通信チャネルは、本実施例に係る無線通信システムに適用するようにしてもよい。
【００２４】
下りリンクについては、各ユーザ装置１００ｎで共有される物理下りリンク共有チャネル(PDSCH:  Physical  Downlink  Shared  Channel)と、物理下りリンク制御チャネル(PDCCH:  Physical  Downlink  Control  Channel)とが用いられる。物理下りリンク制御チャネルは下りL1/L2制御チャネルとも呼ばれる。上記物理下りリンク共有チャネルにより、ユーザデータ、すなわち、通常のデータ信号が伝送される。
【００２５】
上りリンクについては、各ユーザ装置１００ｎで共有して使用される物理上りリンク共有チャネル（PUSCH:  Physical  Uplink  Shared  Channel）と、物理上りリンク制御チャネルとが用いられる。物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化（AMC:  Adaptive  Modulation  and  Coding）に用いるための下りリンクの品質情報(CQI:  Channel  Quality  Indicator)、及び、物理下りリンク共有チャネルの送達確認情報（Acknowledgement  Information）が伝送される。送達確認情報の内容は、送信信号が適切に受信されたことを示す肯定応答(ACK:  Acknowledgement)又はそれが適切に受信されなかったことを示す否定応答(NACK:  Negative  Acknowledgement)の何れかで表現される。
【００２６】
物理上りリンク制御チャネルでは、CQIや送達確認情報に加えて、上りリンクの共有チャネルのリソース割り当てを要求するスケジューリング要求(Scheduling  Request)や、パーシステント  スケジューリング（Persistent  Scheduling）におけるリリース要求(Release  Request)等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置２００がユーザ装置１００ｎに通知することを意味する。
【００２７】
本実施例に係る無線通信システムでは、ユーザ装置１００ｎは、複数のアンテナを有する。また、該ユーザ装置１００ｎは、複数のRF回路を有する。アンテナの数とRF回路の数は同じであってもよいし、異なってもよい。
【００２８】
本実施例に係るユーザ装置１００ｎは、複数種類の開ループ送信ダイバーシチから選択された送信ダイバーシチ方式により、上りリンクのデータを送信する。開ループ送信ダイバーシチには、時空間ブロック符号(STBC:  Space-Time  Block  Coding)を用いた送信ダイバーシチ、空間周波数符号(SFBC:  Space-frequency  Block  Coding)を用いた送信ダイバーシチ、循環遅延ダイバーシチ(CDD:  Cyclic  Delay  Diversity)、周波数切換送信ダイバーシチ(FSTD:  Frequency  Switched  Transmit  Diversity)、時間切換送信ダイバーシチ(TSTD:  Time  Switched  Transmit  Diversity)、プリコーディング  ベクトル  切替(PVS:  Precoding  Vector  Switching)を適用した送信ダイバーシチのうち、少なくとも２つが含まれる。STBCは、擬似直交(Quasi-Orthogonal)  STBCであってもよい。また、SFBCは、擬似直交(Quasi-Orthogonal)  SFBCであってもよい。
【００２９】
STBCでは、ユーザ装置１００ｎは複数の送信系列に時空間ブロック符号化を行うことにより、ダイバーシチ利得を向上させる。SFBCでは、ユーザ装置１００ｎは空間周波数ブロック符号化を行うことにより、ダイバーシチ利得を向上させる。CDDでは、ユーザ装置１００ｎは複数のアンテナ間で差動送信する。OFDMではシンボル間にCPが挿入されるので、CP範囲内での遅延送信が可能である。
【００３０】
FSTDでは、ユーザ装置１００ｎは周波数毎に送信アンテナを切り換える。このようにすることにより、基地局装置２００は、ダイバーシチ効果を得る。TSTDでは、ユーザ装置１００ｎは送信アンテナを無線スロット単位で周期的に切り換える。ユーザ装置１００ｎは、同時刻において、どちらか一方のアンテナのみから送信する。基地局装置２００は、複数のアンテナからの異なる伝搬路を通ってきた信号を交互に受信する。このようにすることにより、基地局装置２００は、ダイバーシチ効果を得る。PVSでは、ユーザ装置１００ｎは送信アンテナに対するウエイトを切り替える。
【００３１】
また、本実施例に係るユーザ装置１００ｎは、開ループ送信ダイバーシチ及び閉ループ送信ダイバーシチから選択された送信ダイバーシチ方式により、上りリンクの信号を送信するようにしてもよい。
【００３２】
閉ループ送信ダイバーシチには、位相ダイバーシチ(TxAA:  Transmit  Adaptive  Antennas)が含まれる。位相ダイバーシチは、ユーザ装置１００ｎが基地局装置２００において、送信信号が同位相で受信できるように、位相を調整する。
【００３３】
本実施例に係る基地局装置２００は、ユーザ装置１００ｎの有するアンテナのうち、上りリンクの信号を送信させるアンテナを選択する。送信ダイバーシチを適用する観点からは、基地局装置２００は、２本以上のアンテナを選択するのが好ましい。例えば、基地局装置２００は、該ユーザ装置１００ｎの有するRF回路と同数のアンテナを選択するようにしてもよい。また、本実施例に係る基地局装置２００は、該ユーザ装置１００ｎに適用する送信ダイバーシチを選択する。
【００３４】
また、本実施例に係る基地局装置２００は、選択されたアンテナを示す情報（以下、選択アンテナ情報と呼ぶ）と、該ユーザ装置１００ｎに適用する送信ダイバーシチを示す情報（以下、送信ダイバーシチ情報と呼ぶ）を下りリンクの信号で送信する。例えば、基地局装置２００は、選択アンテナ情報及び送信ダイバーシチ情報を制御情報として通知するようにしてもよい。具体的には、基地局装置２００は、スケジューリング  グラント(Scheduling  grant)により通知してもよい。例えば、基地局装置２００は、選択アンテナ情報及び送信ダイバーシチ情報をTTI(Transmission  Time  Interval)割り当て毎に通知するようにしてもよい。また、例えば、基地局装置２００は、選択アンテナ情報及び送信ダイバーシチ情報を上位レイヤのシグナリングで通知するようにしてもよい。この場合、長周期で通知するようにしてもよい。基地局装置２００は、選択アンテナ情報と、送信ダイバーシチ情報とを同時に送信するようにしてもよい。また、基地局装置２００は、選択アンテナ情報と、送信ダイバーシチ情報とを、別々に送信するようにしてもよい。この場合、基地局装置２００は、選択アンテナ情報と、送信ダイバーシチ情報とを、独立に送信するようにしてもよいし、異なる周期で送信するようにしてもよい。
【００３５】
後述するが、本実施例に係る基地局装置２００は、アンテナ数とRF回路の数との組み合わせに応じて、ユーザ装置１００ｎに適用させる送信ダイバーシチ方法を決定することができる。
【００３６】
次に、本実施例に係るユーザ装置１００ｎについて、図２及び図３を参照して説明する。
【００３７】
ここでは、一例として、ユーザ装置１００ｎが２のアンテナ及び２のRF回路を有する場合について説明する。図２には、開ループ送信ダイバーシチが適用される送信装置が示される。ここでは、一例として、開ループ送信ダイバーシチにSTBC又はSFBCが含まれる場合について説明する。STBC又はSFBC以外の開ループ送信ダイバーシチが適用される場合には、STBC又はSFBC以外の開ループ送信ダイバーシチが適用されるようにしてもよい。この場合には、STBC又はSFBC以外の開ループ送信ダイバーシチに応じた処理が行われる。
【００３８】
本実施例に係るユーザ装置１００ｎは、送信装置を有する。該送信装置は、データ変調部１０２と、符号化部１０４と、高速逆フーリエ変換部（IFFT:  Inverse  Fast  Fourier  Transform）１０６１及び１０６２と、CP付与部１０８１及び１０８２と、RF回路１１０１及び１１０２と、パワーアンプ１１２１及び１１２２と、アンテナ１１４１及び１１４２とを有する。
【００３９】
基地局装置２００により送信された選択アンテナ情報及び送信ダイバーシチ情報は、符号化部１０４に入力される。
【００４０】
送信データは、データ変調部１０２に入力される。データ変調部１０２は、送信データを変調する。データ変調部１０２は、変調された送信データを、符号化部１０４に入力する。
【００４１】
符号化部１０４は、入力された送信ダイバーシチ情報に基づいて、必要に応じて変調された送信データに対して、符号化処理を行う。例えば、シングルキャリア方式により上りリンクの信号を送信する場合には、符号化部１０４は、変調後のシンボル系列を離散フーリエ変換し、該離散フーリエ変換された信号に対して無線リソースを割り当て、周波数領域の信号を生成する。そして、符号化部１０４は、入力された送信ダイバーシチ情報に基づいて、符号化処理を行う。符号化部１０４は、符号化処理が行われた周波数領域の信号をIFFT１０６１及び１０６２に入力する。
【００４２】
また、例えば、マルチキャリア方式により上りリンクの信号を送信する場合には、符号化部１０４は、変調後のシンボル系列を直並列変換し、該直並列変換された信号に対して無線リソースを割り当て、周波数領域の信号を生成するようにしてもよい。そして、符号化部１０４は、入力された送信ダイバーシチ情報に基づいて、符号化処理を行う。符号化部１０４は、符号化処理が行われた周波数領域の信号をIFFT１０６１及び１０６２に入力する。
【００４３】
例えば、符号化部１０４は、入力された送信ダイバーシチ情報がSTBCである場合には、周波数領域において得られた複数個のシングルキャリアの信号又はマルチキャリアの信号に時空間ブロック符号化を行う。また、例えば、符号化部１０４は、入力された送信ダイバーシチ情報がSFBCである場合には、周波数領域において得られた複数個のシングルキャリアの信号又はマルチキャリアの信号に空間周波数ブロック符号化を行う。
【００４４】
IFFT１０６１及び１０６２では、入力された信号を高速逆フーリエ変換し、OFDM方式の変調を行う。IFFT１０６１及び１０６２においてOFDM方式の変調が行われた信号は、それぞれCP付与部１０８１及び１０８２に入力される。
【００４５】
CP付与部１０８１及び１０８２は、OFDM方式の変調が行われた信号にサイクリックプリフィックスを付加し、OFDM方式におけるシンボルを作成する。CP付与部１０８１及び１０８２は、作成したOFDM方式におけるシンボルを、それぞれRF回路１１０１及び１１０２に入力する。
【００４６】
RF回路１１０１及び１１０２は、入力されたOFDM方式におけるシンボルを無線電波に変換して、それぞれパワーアンプ１１２１及び１１２２に入力する。パワーアンプ１１２１及び１１２２は、入力された無線電波を増幅し、それぞれアンテナ１１４１及び１１４２から送信する。
【００４７】
閉ループ層信ダイバーシチが適用される送信装置について、図３を参照して説明する。ここでは、閉ループ送信ダイバーシチの一例として、位相ダイバーシチが適用される場合について説明する。TxAA以外の閉ループ送信ダイバーシチが適用されるようにしてもよい。この場合には、TxAA以外の閉ループ送信ダイバーシチに応じた処理が行われる。
【００４８】
ユーザ装置１００ｎは、送信装置を有する。該送信装置は、データ変調部１０２と、高速逆フーリエ変換部１０６と、CP付与部１０８と、RF回路１１０１及び１１０２と、パワーアンプ１１２１及び１１２２と、アンテナ１１４１及び１１４２と、位相シフト部１１６とを有する。
【００４９】
基地局装置２００により送信された選択アンテナ情報及び送信ダイバーシチ情報は、ユーザ装置１００ｎに受信される。本実施例では、ユーザ装置１００ｎは、２のアンテナ及び２のRF回路を有するため、２のアンテナが使用されることは明らかである。このため、基地局装置２００は、送信ダイバーシチ情報のみを通知するようにしてもよい。この送信ダイバーシチ情報には、制御位相情報が含まれるようにしてもよい。また、例えば、送信ダイバーシチ情報には、送信ウエイト情報が含まれるようにしてもよい。送信ウエイト情報は、量子化された値であってもよい。
【００５０】
例えば、基地局装置２００がユーザ装置１００ｎにTxAAを適用すると判断した場合には、以下の処理を行う。基地局装置２００は、ユーザ装置１００ｎにより送信される信号が同位相で受信できるように、該ユーザ装置１００ｎに送信信号の位相を調整させる。例えば、基地局装置２００は、ユーザ装置１００ｎにより送信されたサウンディング  リファレンス  シグナルを、該ユーザ装置１００ｎのアンテナ毎に分離する。そして、基地局装置２００は、分離したアンテナ毎のサウンディング  リファレンス  シグナルに基づいて、制御位相情報を求める。例えば、制御位相情報には、位相回転量が含まれる。基地局装置２００は、分離したアンテナ毎のサウンディング  リファレンス  シグナルに基づいて、送信アンテナに適用するウエイトを求めるようにしてもよい。例えば、該ウエイトは、量子化された値であってもよい。
【００５１】
基地局装置２００は、該位相回転量を、ユーザ装置１００ｎに送信する。例えば、基地局装置２００は、該位相回転量を送信ダイバーシチ情報に含めて送信するようにしてもよい。基地局装置２００は、該ウエイト情報を、ユーザ装置１００ｎに送信する。例えば、基地局装置２００は、該ウエイト情報を送信ダイバーシチ情報に含めて送信するようにしてもよい。
【００５２】
送信データは、データ変調部１０２に入力される。データ変調部１０２は、送信データを変調する。変調された送信データは、IFFT１０６に入力される。例えば、シングルキャリア方式により上りリンクの信号を送信する場合には、変調後のシンボル系列は、離散フーリエ変換され、該離散フーリエ変換された信号に対して無線リソースが割り当てられ、周波数領域の信号が生成される。そして、周波数領域の信号はIFFT１０６に入力される。また、例えば、マルチキャリア方式により上りリンクの信号を送信する場合には、変調後のシンボル系列は、直並列変換され、該直並列変換された信号に対して無線リソースが割り当てられ、周波数領域の信号が生成されるようにしてもよい。周波数領域の信号はIFFT１０６に入力される。
【００５３】
IFFT１０６は、入力された信号を高速逆フーリエ変換し、OFDM方式の変調を行う。IFFT１０６においてOFDM方式の変調が行われた信号は、それぞれCP付与部１０８に入力される。
【００５４】
CP付与部１０８は、OFDM方式の変調が行われた信号にサイクリックプリフィックスを付加し、OFDM方式におけるシンボルを作成する。CP付与部１０８は、作成したOFDM方式におけるシンボルを、それぞれRF回路１１０１及び位相シフト部１１６に入力する。
【００５５】
位相シフト部１１６は、基地局装置２００により送信された制御位相情報に基づいて、入力されたOFDM方式におけるシンボルの位相を制御する。例えば、位相シフト部１１６は、入力されたOFDM方式におけるシンボルの位相を回転させる。そして、位相シフト部１１６は、位相を回転させたシンボルをRF回路１１０２に入力する。
【００５６】
RF回路１１０１及び１１０２は、入力されたOFDM方式におけるシンボルを無線電波に変換して、それぞれパワーアンプ１１２１及び１１２２に入力する。パワーアンプ１１２１及び１１２２は、入力された無線電波を増幅し、それぞれアンテナ１１４１及び１１４２から送信する。
【００５７】
また、開ループ送信ダイバーシチ及び閉ループ送信ダイバーシチを適用できるユーザ装置１００ｎは、図２を参照して説明した送信装置と、図３を参照して説明した送信装置とが適宜組み合わされる。
【００５８】
本実施例に係る基地局装置２００について、図４を参照して説明する。
【００５９】
本実施例に係る基地局装置２００は、デマルチプレクサ２０２と、受信品質情報入力部２０４１−２０４ｎと、スケジューラ２１０とを有する。また、受信品質情報入力部２０４１−２０４ｎは、それぞれ受信品質情報計算部２０６１−２０６ｎ及び送信ダイバーシチ法決定部２０８１−２０８ｎを有する。受信品質情報計算部２０６１−２０６ｎは同様の機能を有するため、以下受信品質情報計算部２０６ｎとして説明する。送信ダイバーシチ法決定部２０８１−２０８ｎは同様の機能を有するため、以下送信ダイバーシチ法決定部２０８ｎとして説明する。
【００６０】
デマルチプレクサ２０２は、各受信アンテナにより受信された各ユーザ装置１００ｎにより送信されたサウンディング  リファレンス  シグナルを、ユーザ装置１００ｎ毎に分離し、各受信品質情報入力部２０４１−２０４ｎに入力する。
【００６１】
送信ダイバーシチ法決定部２０８ｎには、ユーザ装置１００ｎにより送信されたサウンディング  リファレンス  シグナルが入力される。送信ダイバーシチ法決定部２０８ｎは、入力されたサウンディング  リファレンス  シグナルに基づいて、該ユーザ装置１００ｎに使用させるアンテナを選択する。例えば、送信ダイバーシチ法決定部２０８ｎは、該ユーザ装置１００ｎが有するRF回路と同数のアンテナを選択するようにしてもよい。例えば、送信ダイバーシチ法決定部２０８ｎは、入力されたサウンディング  リファレンス  シグナルを、該サウンディング  リファレンス  シグナルを送信した該ユーザ装置１００ｎが有するアンテナ毎に分離する。そして、送信ダイバーシチ法決定部２０８ｎは、ユーザ装置１００ｎのアンテナ毎にサウンディング  リファレンス  シグナルの受信品質を求める。送信ダイバーシチ法決定部２０８ｎは、該アンテナ毎の受信品質に基づいて、アンテナを選択する。例えば、送信ダイバーシチ法決定部２０８ｎは、該アンテナ毎に入力された受信品質のうち、受信品質のよいアンテナを選択する。
【００６２】
また、送信ダイバーシチ法決定部２０８ｎは、ユーザ装置１００ｎのアンテナ毎に送信されたサウンディング  リファレンス  シグナルからアンテナ相関を求め、該アンテナ相関に基づいて、アンテナを選択するようにしてもよい。例えば、アンテナ相関の低いアンテナを選択する。また、送信ダイバーシチ法決定部２０８ｎは、ユーザ装置１００ｎのアンテナ毎に送信されたサウンディング  リファレンス  シグナルの受信品質及びアンテナ相関に基づいて、アンテナを選択するようにしてもよい。ここでは、ユーザ装置１００ｎは、２のアンテナと２のRF回路を有する。従って、該２のアンテナが選択される。
【００６３】
また、送信ダイバーシチ法決定部２０８ｎは、ユーザ装置１００ｎに適用する送信ダイバーシチを決定する。例えば、送信ダイバーシチ法決定部２０８ｎは、ユーザ装置１００ｎが適用できる送信ダイバーシチに基づいて、該ユーザ装置１００ｎに適用する送信ダイバーシチを決定する。例えば、送信ダイバーシチ法決定部２０８ｎは、該ユーザ装置１００ｎが複数の種類の送信ダイバーシチに対応している場合には、該複数種類の送信ダイバーシチ法から選択する。選択する送信ダイバーシチは複数であってもよい。送信ダイバーシチ法決定部２０８ｎは、選択アンテナ情報と、送信ダイバーシチ情報とを受信品質情報計算部２０６ｎに入力する。
【００６４】
受信品質情報計算部２０６ｎには、サウンディング  リファレンス  シグナルが入力される。受信品質情報計算部２０６ｎは、入力されたサウンディング  リファレンス  シグナルに基づいて、チャネル推定値を求める。そして、受信品質情報計算部２０６ｎは、求めたチャネル推定値に基づいて、開ループ送信ダイバーシチに対応する受信品質として、最大比合成に基づいて、受信品質をリソースブロック毎に計算する。また、受信品質情報計算部２０６ｎは、求められたチャネル推定値に基づいて、閉ループ送信ダイバーシチに対応する受信品質として、同相加算に基づいて、受信品質をリソースブロック毎に計算する。受信品質情報計算部２０６ｎは、計算された受信品質をスケジューラ２１０に入力する。
【００６５】
例えば、ユーザ装置１００ｎの有するアンテナｉと基地局装置２００に有するアンテナｊとの間のチャネル推定値をｈｊｉとする。この場合、最大比合成に基づく受信品質は、式（１）により示される。式（１）には、STBC及びSFBCの場合の受信品質が示される。適用される送信ダイバーシチに応じて異なる式が用いられてもよい。
【００６６】
【数１】
0005154295.tif 000002
また、この場合、同相加算に基づく受信品質は、式（２）により示される。式（２）には、TxAAの場合の受信品質が示される。適用される送信ダイバーシチに応じて異なる式が用いられてもよい。
【００６７】
【数２】
0005154295.tif 000003
スケジューラ２１０は、入力された受信品質に基づいて、スケジューリングを行う。例えば、スケジューラ２１０は、受信品質情報計算部２０６１−２０６ｎにより入力された受信品質に基づいて、各リソースブロックへユーザ装置１００ｎを割り当てる。例えば、スケジューラ２１０は、各リソースブロックへ受信品質のよいユーザ装置１００ｎから割り当てるようにしてもよい。受信品質情報計算部２０６ｎにより複数の送信ダイバーシチに対応する受信品質が入力された場合には、スケジューラ２１０は、該受信品質のうち、よい受信品質に基づいて、リソースブロックの割り当てを実施する。例えば、よい受信品質は、制御遅延による特性劣化も含めて判断するようにしてもよい。例えば、スケジューラ２１０は、該特性劣化を示すパラメータをαとした場合に、該αと受信品質との積に基づいて判断するようにしてもよい。そして、スケジューラ２０６は、無線リソースを割り当てるユーザ装置１００ｎと、該ユーザ装置１００ｎに適用する送信ダイバーシチを示す情報(送信ダイバーシチ情報)を求める。送信ダイバーシチは、ユーザ装置１００ｎの送信帯域全体で同様であってもよい。また、送信ダイバーシチは、送信装置毎に異なるようにしてもよい。また、送信ダイバーシチは、リソースブロック毎に異なるようにしてもよい。ここで、送信ダイバーシチを示す情報には、ユーザ装置１００ｎに使用させるアンテナを示す情報（選択アンテナ情報）が含まれてもよい。また、送信ダイバーシチを示す情報には、送信ウエイト情報が含まれてもよい。
【００６８】
基地局装置２００は、選択アンテナ情報を含む制御情報を生成する。また、基地局装置２００は、送信ダイバーシチ情報を含む制御情報を生成する。また、基地局装置２００は、選択アンテナ情報及び送信ダイバーシチ情報を含む制御情報を生成するようにしてもよい。基地局装置２００は、生成した制御情報をユーザ装置１００ｎに送信する。
【００６９】
本実施例に係る無線通信システムの動作について、図５を参照して説明する。
【００７０】
ユーザ装置１００ｎは、サウンディング  リファレンス  シグナルを送信する（ステップＳ５０２）。例えば、ユーザ装置１００ｎは、当該ユーザ装置１００ｎの各送信アンテナ間で、送信するサウンディング  リファレンス  シグナルを符号分割多重(CDM:  Code  Division  Multiplexing)して送信するようにしてもよい。図６には、ユーザ装置１００ｎが２のアンテナを有する場合に、各送信アンテナから送信されるサウンディング  リファレンス  シグナルがCDMされる例を示す。３本以上のアンテナを有するユーザ装置１００ｎにおいても同様である。また、例えば、複数のユーザ装置間で、サウンディング  リファレンス  シグナルを符号分割多重して送信するようにしてもよい。また、例えば、ユーザ装置１００ｎは、当該ユーザ装置１００ｎの各送信アンテナ間で、送信するサウンディング  リファレンス  シグナルを時間分割多重(TDM:  Time  Division  Multiplexing)して送信するようにしてもよい。例えば、ユーザ装置１００ｎは、各アンテナから送信するサウンディング  リファレンス  シグナルを時間的に交互に送信する。また、ユーザ装置１００ｎは、３以上のアンテナを有する場合には、各送信アンテナから送信するサウンディング  リファレンス  シグナルをCDMとTDMとを組み合わせて送信するようにしてもよい。また、例えば、複数のユーザ装置間で、サウンディング  リファレンス  シグナルを時間分割多重して送信するようにしてもよい。
【００７１】
また、例えば、ユーザ装置１００ｎは、上りリンクの無線アクセス方式にマルチキャリア伝送が適用される場合には、当該ユーザ装置１００ｎの各送信アンテナ間で、送信するサウンディング  リファレンス  シグナルを周波数分割多重(FDM)して送信するようにしてもよい。図７には、ユーザ装置１００ｎが２のアンテナを有する場合に、各送信アンテナから送信されるサウンディング  リファレンス  シグナルがFDMされる例を示す。また、例えば、複数のユーザ装置間で、サウンディング  リファレンス  シグナルを周波数分割多重して送信するようにしてもよい。
【００７２】
また、ユーザ装置１００ｎは、当該ユーザ装置１００ｎの各送信アンテナ間で、送信するサウンディング  リファレンス  シグナルをFDMする場合に、送信毎に両アンテナから送信されるサウンディング  リファレンス  シグナルの割り当てを異なるようにしてもよい。例えば、ユーザ装置１００ｎは、送信毎に両アンテナから送信されるサウンディング  リファレンス  シグナルの割り当てを入れ替えるようにしてもよい。このようにすることにより、該ユーザ装置１００ｎに割り当てられた帯域全体におけるチャネル品質状態を測定することができる。また、例えば、複数のユーザ装置間で、サウンディング  リファレンス  シグナルを周波数分割多重して送信する場合に、送信毎に送信されるサウンディング  リファレンス  シグナルの割り当てを異なるようにしてもよい。
【００７３】
上述した送信方法を組み合わせてサウンディング  リファレンス  シグナルが送信されてもよい。
【００７４】
上述した例は一例であって、適宜変更可能である。例えば、１サブフレームに含まれる複数シンボルにおいて、サウンディング  リファレンス  シグナルを送信するようにしてもよい。また、サウンディング  リファレンス  シグナルがマッピングされないサブキャリアを有するようにしてもよい。
【００７５】
基地局装置２００は、ユーザ装置１００ｎにより送信されたサウンディング  リファレンス  シグナルを受信する。そして、基地局装置２００は、受信したサウンディング  リファレンス  シグナルに基づいて、ユーザ装置１００ｎが上りリンクの信号を送信する際に使用するアンテナを選択する（ステップＳ５０４）。例えば、送信ダイバーシチ法決定部２０８１は、各アンテナに対応する受信品質のうち、受信品質のよいアンテナを選択する。また、送信ダイバーシチ法決定部２０８１は、ユーザ装置１００ｎの各アンテナに対応するサウンディング  リファレンス  シグナルに基づいて、アンテナ相関に基づいて、アンテナを選択するようにしてもよい。例えば、送信ダイバーシチ法決定部２０８１は、アンテナ相関の低いアンテナを選択する。また、送信ダイバーシチ法決定部２０８１は、ユーザ装置１００ｎの各アンテナに対応するサウンディング  リファレンス  シグナルの受信品質及びアンテナ相関に基づいて、アンテナを選択するようにしてもよい。
【００７６】
基地局装置２００は、ユーザ装置１００ｎに適用する送信ダイバーシチを決定する（ステップＳ５０６）。送信ダイバーシチ法決定部２０８１は、ユーザ装置１００ｎが適用できる送信ダイバーシチに基づいて決定する。
【００７７】
基地局装置２００は、決定された送信ダイバーシチに応じた受信品質を求める（ステップＳ５０８）。例えば、受信品質情報計算部２０６ｎは、受信されたサウンディング  リファレンス  シグナルに基づいて、チャネル推定値を求める。そして、受信品質情報計算部２０６ｎは、求めたチャネル推定値に基づいて、開ループ送信ダイバーシチに対応する受信品質として、最大比合成に基づいて、受信品質をリソースブロック毎に計算する。また、受信品質情報計算部２０６ｎは、求めたチャネル推定値に基づいて、閉ループ送信ダイバーシチに対応する受信品質として、同相加算に基づいて、受信品質をリソースブロック毎に計算する。受信品質情報計算部２０６ｎは、送信ダイバーシチ法決定部２０８ｎから複数の送信ダイバーシチが入力された場合には、該複数の送信ダイバーシチに対応する受信品質を、受信品質情報計算部２０６ｎに入力する。
【００７８】
基地局装置２００は、入力された受信品質に基づいて、スケジューリングを行う（ステップＳ５１０）。例えば、スケジューラ２１０は、受信品質情報計算部２０６１−２０６ｎにより入力された受信品質に基づいて、各リソースブロックへユーザ装置１００ｎを割り当てる。例えば、スケジューラ２１０は、各リソースブロックへ受信品質のよいユーザ装置１００ｎから割り当てるようにしてもよい。
【００７９】
基地局装置２００は、無線リソースを割り当てるユーザ装置１００ｎと、該ユーザ装置１００ｎの選択アンテナ情報及び送信ダイバーシチ情報を生成する。
【００８０】
基地局装置２００は、選択アンテナ情報と、送信ダイバーシチ情報とを送信する（ステップＳ５１２）
ユーザ装置１００ｎは、選択アンテナ情報により指定されたアンテナ及び通知された送信ダイバーシチを適用する（ステップＳ５１４）。例えば、開ループ送信ダイバーシチが適用される場合には、符号化部１０４は、該指定された送信ダイバーシチを適用する。また、閉ループ送信ダイバーシチが適用される場合には、位相シフト部１１６は、基地局装置２００により送信された制御位相情報に基づいて、位相の制御を行う。
【００８１】
ユーザ装置１００ｎは、上りリンクの信号を送信する（ステップＳ５１６）。
【００８２】
本実施例によれば、受信装置は、各送信装置により送信されるサウンディング  リファレンス  シグナルに基づいて、複数種類の送信ダイバーシチに対応する受信品質を求めることができる。ここで、例えば、受信装置が基地局装置に含まれるようにしてもよい。また、送信装置がユーザ装置に含まれるようにしてもよい。
【００８３】
本実施例によれば、送信装置は、アンテナ数と、RF回路の数と、該送信装置と受信装置との間の伝搬路の状況に応じて、送信ダイバーシチを変化させることができる。ここで、送信ダイバーシチには、開ループ送信ダイバーシチが含まれる。また、送信ダイバーシチには、閉ループ送信ダイバーシチが含まれるようにしてもよい。また、送信ダイバーシチには、開ループ送信ダイバーシチ及び閉ループ送信ダイバーシチが含まれるようにしてもよい。
（第２の実施例）
本発明の実施例に係るユーザ装置及び基地局装置を有する無線通信システムは、図１を参照して説明したユーザ装置及び基地局装置と同様である。
【００８４】
本実施例に係る無線通信システムでは、ユーザ装置１００ｎは、４のアンテナと、２のRF回路を有する。本実施例に係るユーザ装置１００ｎは、図８及び図９に示すように、図２及び図３を参照して説明したユーザ装置１００ｎにおいて、パワーアンプ１１２１及び１１２２とアンテナ１１４１−１１４４との間に、切替部１１８を有する。切替部１１８には、選択アンテナ情報が入力される。切替部１１８は、入力された選択アンテナ情報に基づいて、送信データを送信するアンテナに切り替える。
【００８５】
また、本実施例係る基地局装置２００では、送信ダイバーシチ法決定部２０８ｎは、上述した実施例と同様に、ユーザ装置１００ｎに使用させるアンテナを選択する。例えば、送信ダイバーシチ法決定部２０８ｎは、選ばれる可能性の低い送信アンテナの組み合わせを、アンテナ選択の候補から予め除外するようにしてもよい。このようにすることにより、選択アンテナ情報を送信するための情報量を減少させることができる。例えば、全組み合わせでは、４Ｃ２＝６通りであるため、３ビット必要である。例えば、ユーザ装置１００ｎが直線状に配置された送信アンテナを有していた場合、送信ダイバーシチ法決定部２０８ｎは、隣り合うアンテナは、フェージング相関が高い傾向があるため、予め除外するようにしてもよい。この場合、選択されるアンテナの組み合わせは、４通りとなるため、２ビット必要である。この場合、送信する情報量として、１ビット削減できる。
【００８６】
本実施例に係る無線通信システムの動作は図５を参照して説明した動作と同様である。
【００８７】
本実施例によれば、受信装置は、各送信装置により送信されるサウンディング  リファレンス  シグナルに基づいて、複数種類の送信ダイバーシチに対応する受信品質を求めることができる。ここで、例えば、受信装置が基地局装置に含まれるようにしてもよい。また、送信装置がユーザ装置に含まれるようにしてもよい。
【００８８】
本実施例によれば、送信装置は、アンテナ数と、RF回路の数と、該送信装置と受信装置との間の伝搬路の状況に応じて、送信ダイバーシチを変化させることができる。ここで、送信ダイバーシチには、開ループ送信ダイバーシチが含まれる。また、送信ダイバーシチには、閉ループ送信ダイバーシチが含まれるようにしてもよい。また、送信ダイバーシチには、開ループ送信ダイバーシチ及び閉ループ送信ダイバーシチが含まれるようにしてもよい。
【００８９】
また、本実施例によれば、選ばれる可能性の低い送信アンテナの組み合わせを、アンテナ選択の候補から予め除外する。このようにすることにより、選択アンテナ情報を送信するための情報量を減少させることができる。
（第３の実施例）
本発明の実施例に係るユーザ装置及び基地局装置を有する無線通信システムは、図１を参照して説明したユーザ装置及び基地局装置と同様である。
【００９０】
本実施例に係る無線通信システムでは、ユーザ装置１００ｎは、４のアンテナと、４のRF回路を有する。本実施例に係るユーザ装置１００ｎは、図１０に示すように、図２を参照して説明したユーザ装置１００ｎに、IFFT１０６３及び１０６４と、CP付与部１０８３及び１０８４と、RF回路１１０３及び１１０４と、パワーアンプ１１２３及び１１２４と、アンテナ１１４３及び１１４４とを有する。また、本実施例に係るユーザ装置１００ｎは、図１１に示すように、図３を参照して説明したユーザ装置１００ｎに、RF回路１１０３及び１１０４と、パワーアンプ１１２３及び１１２４と、アンテナ１１４３及び１１４４とを有する。
【００９１】
本実施例に係る基地局装置２００では、スケジューラ２１０は、TxAAを適用する場合に、２アンテナをTxAAにより束ねることができる。言い換えれば、２組のアンテナで２のRF回路と同様の送信ダイバーシチを適用できる。例えば、図１１に示すように、アンテナ１１４１及び１１４３と、アンテナ１１４２及び１１４４との２組のアンテナで、２のRF回路と同様の送信ダイバーシチを適用する。
【００９２】
本実施例に係る無線通信システムの動作は図５を参照して説明した動作と同様である。
【００９３】
本実施例によれば、受信装置は、各送信装置により送信されるサウンディング  リファレンス  シグナルに基づいて、複数種類の送信ダイバーシチに対応する受信品質を求めることができる。ここで、例えば、受信装置が基地局装置に含まれるようにしてもよい。また、送信装置がユーザ装置に含まれるようにしてもよい。
【００９４】
本実施例によれば、送信装置は、アンテナ数と、RF回路の数と、該送信装置と受信装置との間の伝搬路の状況に応じて、送信ダイバーシチを変化させることができる。ここで、送信ダイバーシチには、開ループ送信ダイバーシチが含まれる。また、送信ダイバーシチには、閉ループ送信ダイバーシチが含まれるようにしてもよい。また、送信ダイバーシチには、開ループ送信ダイバーシチ及び閉ループ送信ダイバーシチが含まれるようにしてもよい。
【００９５】
また、本実施例によれば、TxAAを適用する場合に、２アンテナをTxAAにより束ねることができる。
【００９６】
上述した実施例において、送信ダイバーシチ法決定部２０８Ｍは、当該ユーザ装置１００ｎの移動速度に基づいて、適用する送信ダイバーシチ法を決定するようにしてもよい。例えば、送信ダイバーシチ法決定部２０８Ｍには、最大ドップラー周波数に基づいて計算された移動速度が入力されるようにしてもよい。この場合、送信ダイバーシチ法決定部２０８Ｍは、該移動速度に基づいて、該ユーザ装置１００ｎに適用する送信ダイバーシチモードを決定する。例えば、送信ダイバーシチ法決定部２０８Ｍは、移動速度が予め決定される閾値以上である場合には、開ループ送信ダイバーシチを適用すると決定する。また、例えば、送信ダイバーシチ法決定部２０８Ｍは、移動速度が予め決定される閾値未満である場合には、閉ループ送信ダイバーシチを適用すると決定する。
【００９７】
上述した実施例においては、アンテナの数とRF回路の数との組み合わせの例として、２のアンテナと２のRF回路、４のアンテナと２のRF回路、４のアンテナと４のRF回路の場合について説明したが、その他の組み合わせにおいても適用可能である。
【００９８】
また、複数の送信ダイバーシチが適用されないユーザ装置においても、サウンディング  リファレンス  シグナルを、同一ユーザ装置の各送信アンテナ間で、符号分割多重、時分割多重及び周波数分割多重のいずれか１つにより送信するようにしてもよい。また、複数の送信ダイバーシチが適用されないユーザ装置においても、サウンディング  リファレンス  シグナルを、複数のユーザ装置間で、符号分割多重、時分割多重及び周波数分割多重のいずれか１つにより送信するようにしてもよい。また、これらの送信方法を組み合わせてサウンディング  リファレンス  シグナルが送信されてもよい。
【００９９】
説明の便宜上、本発明を幾つかの実施例に分けて説明したが、各実施例の区分けは本発明に本質的ではなく、２以上の実施例が必要に応じて使用されてよい。発明の理解を促すため具体的な数値例を用いて説明したが、特に断りのない限り、それらの数値は単なる一例に過ぎず適切な如何なる値が使用されてよい。
【０１００】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【０１０１】
【図１】一実施例に係る無線通信システムを示す説明図である。
【図２】一実施例に係るユーザ装置を示す部分ブロック図である。
【図３】一実施例に係るユーザ装置を示す部分ブロック図である。
【図４】一実施例に係る基地局装置を示す部分ブロック図である。
【図５】一実施例に係る無線通信システムの動作を示すフロー図である。
【図６】一実施例に係るユーザ装置の動作を示す説明図である。
【図７】一実施例に係るユーザ装置の動作を示す説明図である。
【図８】一実施例に係るユーザ装置を示す部分ブロック図である。
【図９】一実施例に係るユーザ装置を示す部分ブロック図である。
【図１０】一実施例に係るユーザ装置を示す部分ブロック図である。
【図１１】一実施例に係るユーザ装置を示す部分ブロック図である。
【符号の説明】
【０１０２】
５０  セル
１００１、１００２、１００３、・・・、１００ｎ  ユーザ装置
１０２  データ変調部
１０４  符号化部
１０６１、１０６２、１０６３、１０６４  高速逆フーリエ変換部（IFFT:  Inverse  Fast  Fourier  Transform）
１０８１、１０８２、１０８３、１０８４  サイクリックプリフィックス(CP:  Cyclic  Prefix)付与部
１１０１、１１０２、１１０３、１１０４  RF(Radio  Frequency)回路
１１２１、１１２２、１１２３、１１２４  パワーアンプ(PA)
１１４１、１１４２、１１４３、１１４４  アンテナ
１１６  位相シフト部
１１８  切替部
２００  基地局装置
２０２  デマルチプレクサ
２０４１−２０４ｎ  受信品質情報入力部
２０６１−２０６ｎ  受信品質情報計算部
２０８１−２０８ｎ  送信ダイバーシチ法決定部
２１０  スケジューラ
３００  上位局
４００  コアネットワーク
【図１】
0005154295.tif 000004
【図２】
0005154295.tif 000005
【図３】
0005154295.tif 000006
【図４】
0005154295.tif 000007
【図５】
0005154295.tif 000008
【図６】
0005154295.tif 000009
【図７】
0005154295.tif 000010
【図８】
0005154295.tif 000011
【図９】
0005154295.tif 000012
【図１０】
0005154295.tif 000013
【図１１】
0005154295.tif 000014